【手続補正書】
【提出日】平成23年12月12日(2011.12.12)
【手続補正１】
【補正対象書類名】特許請求の範囲
【補正対象項目名】全文
【補正方法】変更
【補正の内容】
【特許請求の範囲】
【請求項１】
通信事業者自身の通信網に対する内線発信であるか当該通信事業者自身ではない通信網に対する内線発信であるかを仕分ける複数のＳＩＰサーバと、仕分けられた内線発信が経由する中間サーバと、複数の通信事業者の通信網毎に内線発信を仕分ける共通ＳＩＰサーバとが通信可能に接続された通信制御システムであって、
前記複数のＳＩＰサーバの少なくとも１つは、
前記通信事業者自身の通信網の内線電話から、内線発信である着信先番号を受信する第１の受信手段と、
前記第１の受信手段で受信された着信先番号が、前記共通ＳＩＰサーバに送信するための識別番号を含んでいるかいなかを判定する第１の判断手段と、
前記第１の判断手段により、前記識別番号を含んでいると判定された場合には、前記受信した着信先番号を前記中間サーバに送信し、かつ前記識別番号を含んでいないと判定された場合には、前記受信した着信先番号に従って前記通信事業者自身の通信網の着信先に着信すべく着信要求する第１の送信手段と、
を備え、
前記中間サーバは、
前記第１の送信手段により送信された着信先番号を受信する第２の受信手段と、
前記第２の受信手段が受信した着信先番号から前記識別番号を削除した着信先番号を前記共通ＳＩＰサーバに送信する第２の送信手段と、
を備え、
前記共通ＳＩＰサーバは、
前記複数のＳＩＰサーバの通信網の内線番号を記憶する第１の記憶手段と、
前記第２の送信手段により送信された着信先番号を受信する第３の受信手段と、
前記第３の受信手段で受信された着信先番号が、前記第１の記憶手段に記憶されているか判定する第２の判断手段と、
前記第２の判断手段により前記第２の受信手段が受信した着信先番号が前記第１の記憶手段に記憶されていると判定された場合に、前記第２の受信手段が受信した着信先番号に対応する前記複数のＳＩＰサーバの１つに前記第２の受信手段が受信した着信先番号を送信する第３の送信手段と、
を備えることを特徴とする通信制御システム。
【請求項２】
前記第３の送信手段は、前記第３の受信手段が受信した着信先番号を、前記第３の受信手段が受信した複数のＳＩＰサーバの１つではない複数のＳＩＰサーバの１つに送信することを特徴とする請求項１に記載の通信制御システム。
【請求項３】
前記第１の記憶手段は、前記複数のＳＩＰサーバの通信網の内線番号を、前記複数のＳＩＰサーバの通信網毎に分けて管理し、
前記第３の送信手段は、前記通信網毎に分けた内線番号から、前記第３の受信手段が受信した着信先番号に対応する前記複数のＳＩＰサーバの１つを識別し、前記第３の受信手段が受信した着信先番号を送信することを特徴とする請求項１または請求項２に記載の通信制御システム。
【請求項４】
前記第１の記憶手段が記憶する前記複数のＳＩＰサーバの通信網の内線番号は重複しない内線番号であることを特徴とする請求項１乃至請求項３のいずれか１項に記載の通信制御システム。
【請求項５】
前記通信事業者自身の通信網の内線電話から、内線発信である着信先番号を受信する前記複数のＳＩＰサーバの少なくとも１つは、
前記通信事業者自身の通信網の内線番号を記憶する第２の記憶手段と、
前記共通ＳＩＰサーバから、着信先番号を受信する第４の受信手段と、
前記第４の受信手段で受信された着信先番号が前記第２の記憶手段に記憶されているか判定する第３の判断手段と、
をさらに備えることを特徴とする請求項１乃至請求項４のいずれか１項に記載の通信制御システム。
【請求項６】
通信事業者自身の通信網に対する内線発信であるか当該通信事業者自身ではない通信網に対する内線発信であるかを仕分ける複数のＳＩＰサーバと、仕分けられた内線発信が経由する中間サーバと、複数の通信事業者の通信網毎に内線発信を仕分ける共通ＳＩＰサーバとが通信可能に接続された通信制御システムの制御方法であって、
前記複数のＳＩＰサーバの少なくとも１つの第１の受信手段が、前記通信事業者自身の通信網の内線電話から、内線発信である着信先番号を受信する第１の受信工程と、
前記複数のＳＩＰサーバの少なくとも１つの第１の判断手段が、前記第１の受信工程で受信された着信先番号が、前記共通ＳＩＰサーバに送信するための識別番号を含んでいるかいなかを判定する第１の判断工程と、
前記複数のＳＩＰサーバの少なくとも１つの第１の送信手段が、前記第１の判断工程により、前記識別番号を含んでいると判定された場合には、前記受信した着信先番号を前記中間サーバに送信し、かつ前記識別番号を含んでいないと判定された場合には、前記受信した着信先番号に従って前記通信事業者自身の通信網の着信先に着信すべく着信要求する第１の送信工程と、
を含み、
前記中間サーバの第２の受信手段が、前記第１の送信工程により送信された着信先番号を受信する第２の受信工程と、
前記中間サーバの第２の送信手段が、前記第２の受信工程が受信した着信先番号から前記識別番号を削除した着信先番号を前記共通ＳＩＰサーバに送信する第２の送信工程と、
を含み、
前記共通ＳＩＰサーバは、
前記複数のＳＩＰサーバの通信網の内線番号を記憶する第１の記憶手段を備え、
前記共通ＳＩＰサーバの第３の受信手段が、前記第２の送信工程により送信された着信先番号を受信する第３の受信工程と、
前記共通ＳＩＰサーバの第２の判断手段が、前記第３の受信工程で受信された着信先番号が、前記第１の記憶手段に記憶されているか判定する第２の判断工程と、
前記共通ＳＩＰサーバの第３の送信手段が、前記第２の判断工程により前記第２の受信工程が受信した着信先番号が前記第１の記憶手段に記憶されていると判定された場合に、前記第２の受信工程が受信した着信先番号に対応する前記複数のＳＩＰサーバの１つに前記第２の受信工程が受信した着信先番号を送信する第３の送信工程と、
を含むことを特徴とする制御方法。
【請求項７】
通信事業者自身の通信網に対する内線発信であるか当該通信事業者自身ではない通信網に対する内線発信であるかを仕分ける複数のＳＩＰサーバと、仕分けられた内線発信が経由する中間サーバと、複数の通信事業者の通信網毎に内線発信を仕分ける共通ＳＩＰサーバとが通信可能に接続された通信制御システムで読み取り実行可能なプログラムであって、
前記複数のＳＩＰサーバの少なくとも１つを、
前記通信事業者自身の通信網の内線電話から、内線発信である着信先番号を受信する第１の受信手段と、
前記第１の受信手段で受信された着信先番号が、前記共通ＳＩＰサーバに送信するための識別番号を含んでいるかいなかを判定する第１の判断手段と、
前記第１の判断手段により、前記識別番号を含んでいると判定された場合には、前記受信した着信先番号を前記中間サーバに送信し、かつ前記識別番号を含んでいないと判定された場合には、前記受信した着信先番号に従って前記通信事業者自身の通信網の着信先に着信すべく着信要求する第１の送信手段と、
して機能させ、
前記中間サーバを、
前記第１の送信手段により送信された着信先番号を受信する第２の受信手段と、
前記第２の受信手段が受信した着信先番号から前記識別番号を削除した着信先番号を前記共通ＳＩＰサーバに送信する第２の送信手段と、
して機能させ、
前記共通ＳＩＰサーバを、
前記複数のＳＩＰサーバの通信網の内線番号を記憶する第１の記憶手段と、
前記第２の送信手段により送信された着信先番号を受信する第３の受信手段と、
前記第３の受信手段で受信された着信先番号が、前記第１の記憶手段に記憶されているか判定する第２の判断手段と、
前記第２の判断手段により前記第２の受信手段が受信した着信先番号が前記第１の記憶手段に記憶されていると判定された場合に、前記第２の受信手段が受信した着信先番号に対応する前記複数のＳＩＰサーバの１つに前記第２の受信手段が受信した着信先番号を送信する第３の送信手段と、
して機能させることを特徴とするプログラム。
【請求項８】
通信事業者自身の通信網の内線電話から、内線発信である着信先番号を受信し、該受信された着信先番号が、前記共通ＳＩＰサーバに送信するための識別番号を含んでいるかいなかを判定し、前記識別番号を含んでいると判定された場合には、前記受信した着信先番号を中間サーバに送信し、かつ前記識別番号を含んでいないと判定された場合には、前記受信した着信先番号に従って前記通信事業者自身の通信網の着信先に着信すべく着信要求するＳＩＰサーバと、複数の通信事業者の通信網毎に内線発信を仕分ける共通ＳＩＰサーバであって、前記複数のＳＩＰサーバの通信網の内線番号を記憶し、前記中間サーバより送信された着信先番号を受信し、該受信した着信先番号が当該共通ＳＩＰサーバに記憶されている場合に、該受信した着信先番号に対応するＳＩＰサーバに該受信した着信先番号を送信する共通ＳＩＰサーバとの間に位置し、前記ＳＩＰサーバおよび前記共通ＳＩＰサーバと通信可能に接続された中間サーバであって、
前記ＳＩＰサーバより送信された着信先番号を受信する受信手段と、
前記受信手段が受信した着信先番号から前記識別番号を削除した着信先番号を前記共通ＳＩＰサーバに送信する送信手段と、
を備えることを特徴とする中間サーバ。
【請求項９】
通信事業者自身の通信網の内線電話から、内線発信である着信先番号を受信し、該受信された着信先番号が、前記共通ＳＩＰサーバに送信するための識別番号を含んでいるかいなかを判定し、前記識別番号を含んでいると判定された場合には、前記受信した着信先番号を中間サーバに送信し、かつ前記識別番号を含んでいないと判定された場合には、前記受信した着信先番号に従って前記通信事業者自身の通信網の着信先に着信すべく着信要求するＳＩＰサーバと、複数の通信事業者の通信網毎に内線発信を仕分ける共通ＳＩＰサーバであって、前記複数のＳＩＰサーバの通信網の内線番号を記憶し、前記中間サーバより送信された着信先番号を受信し、該受信した着信先番号が当該共通ＳＩＰサーバに記憶されている場合に、該受信した着信先番号に対応するＳＩＰサーバに該受信した着信先番号を送信する共通ＳＩＰサーバとの間に位置し、前記ＳＩＰサーバおよび前記共通ＳＩＰサーバと通信可能に接続された中間サーバの制御方法であって、
前記中間サーバの受信手段が、前記ＳＩＰサーバより送信された着信先番号を受信する受信工程と、
前記中間サーバの送信手段が、前記受信工程が受信した着信先番号から前記識別番号を削除した着信先番号を前記共通ＳＩＰサーバに送信する送信工程と、
を含むことを特徴とする制御方法。
【請求項１０】
通信事業者自身の通信網の内線電話から、内線発信である着信先番号を受信し、該受信された着信先番号が、前記共通ＳＩＰサーバに送信するための識別番号を含んでいるかいなかを判定し、前記識別番号を含んでいると判定された場合には、前記受信した着信先番号を中間サーバに送信し、かつ前記識別番号を含んでいないと判定された場合には、前記受信した着信先番号に従って前記通信事業者自身の通信網の着信先に着信すべく着信要求するＳＩＰサーバと、複数の通信事業者の通信網毎に内線発信を仕分ける共通ＳＩＰサーバであって、前記複数のＳＩＰサーバの通信網の内線番号を記憶し、前記中間サーバより送信された着信先番号を受信し、該受信した着信先番号が当該共通ＳＩＰサーバに記憶されている場合に、該受信した着信先番号に対応するＳＩＰサーバに該受信した着信先番号を送信する共通ＳＩＰサーバとの間に位置し、前記ＳＩＰサーバおよび前記共通ＳＩＰサーバと通信可能に接続された中間サーバで読み取り実行可能なプログラムであって、
前記中間サーバを、
前記ＳＩＰサーバより送信された着信先番号を受信する受信手段と、
前記受信手段が受信した着信先番号から前記識別番号を削除した着信先番号を前記共通ＳＩＰサーバに送信する送信手段と、
として機能させることを特徴とするプログラム。
【手続補正２】
【補正対象書類名】明細書
【補正対象項目名】発明の名称
【補正方法】変更
【補正の内容】
【発明の名称】通信制御システム、中間サーバ
【手続補正３】
【補正対象書類名】明細書
【補正対象項目名】０００１
【補正方法】変更
【補正の内容】
【０００１】
通信制御システム、中間サーバ及び制御方法とプログラムに関する。
【手続補正４】
【補正対象書類名】明細書
【補正対象項目名】００１６
【補正方法】変更
【補正の内容】
【００１６】
更にこの手法では解決できなかった、通信事業者毎のサーバが通信事業者内部の通信網（自網）のみで接続処理をすべき内線発信要求か通信事業者外部の通信網（他網）に接続要求をすべき内線発信要求なのかを仕分けする場合に、通信事業者個別のサービス毎に管理すべき内線番号付与体系（内線番号）のリストを通信事業者毎のサーバに予め登録する必要があり、通信事業者毎のサーバに通信事業者個別のサービス毎に管理すべき内線番号付与体系（内線番号）のテーブルリストが予め登録されていなくても、通信事業者内部の通信網（自網）のみで接続処理をすべき内線発信要求か通信事業者外部の通信網（他網）
に接続要求をすべき内線発信要求なのかを仕分けできる仕組みとして、本出願人により、通信事業者毎のサーバが、共通サーバに送信することを識別するための番号により通信事業者内部の通信網（自網）のみで接続処理をすべき内線発信要求か、または通信事業者外部の通信網（他網）に接続要求をすべき内線発信要求かを仕分けし、更に共通サーバが受信した内線発信要求が対応する通信事業者に内線発信要求を仕分けする場合には不要となってしまう共通サーバに送信することを識別するための番号を、共通サーバが内線発信要求を受信する前に削除することで、内線番号付与体系の異なる複数の通信事業者各社の通信網から要求された内線発信要求を通信事業者自身の通信網と他社の通信網にルーティングできる仕組みが提案されている。
【手続補正５】
【補正対象書類名】明細書
【補正対象項目名】００１７
【補正方法】変更
【補正の内容】
【００１７】
しかしながら、この手法では、通信事業者毎のサーバが実行する、共通サーバ受信した場合に不要となってしまう共通サーバに送信することを識別するための番号を削除する処理も、通信事業者外部の通信網（他網）に接続要求をすべき内線発信要求かを仕分けした直後には必ず行わなければならず、通信事業者毎のサーバの処理の負荷が大きくなってしまうという問題が生じ、通信事業者毎のサーバの処理の機能の一部を他のサーバに移行し、通信事業者毎のサーバの負荷を低減する仕組みまでは提案されていない。
【手続補正６】
【補正対象書類名】明細書
【補正対象項目名】００１８
【補正方法】変更
【補正の内容】
【００１８】
そこで、本願発明は、本来は通信事業者毎のサーバが処理していた通信事業者内部の通信網（自網）のみで接続処理をすべき内線発信要求か、または通信事業者外部の通信網（他網）に接続要求をすべき内線発信要求かを仕分けする場合に必要とされる、共通サーバに送信することを識別するための番号を削除する機能を通信事業者毎のサーバから中間サーバに移管し、さらに当該中間サーバを通信事業者毎のサーバと共通サーバとの間に構成し、通信事業者毎のサーバと中間サーバとで処理を分散させることで、通信事業者毎のサーバの負荷の低減が可能となり、かつ内線番号付与体系の異なる複数の通信事業者各社の通信網から要求された内線発信要求を通信事業者自身の通信網と他社の通信網にルーティングできる仕組みを提供する事を目的とする。
【手続補正７】
【補正対象書類名】明細書
【補正対象項目名】００１９
【補正方法】変更
【補正の内容】
【００１９】
本願発明は、通信事業者自身の通信網に対する内線発信であるか当該通信事業者自身ではない通信網に対する内線発信であるかを仕分ける複数のＳＩＰサーバと、仕分けられた内線発信が経由する中間サーバと、複数の通信事業者の通信網毎に内線発信を仕分ける共通ＳＩＰサーバとが通信可能に接続された通信制御システムであって、前記複数のＳＩＰサーバの少なくとも１つは、前記通信事業者自身の通信網の内線電話から、内線発信である着信先番号を受信する第１の受信手段と、前記第１の受信手段で受信された着信先番号が、前記共通ＳＩＰサーバに送信するための識別番号を含んでいるかいなかを判定する第１の判断手段と、前記第１の判断手段により、前記識別番号を含んでいると判定された場合には、前記受信した着信先番号を前記中間サーバに送信し、かつ前記識別番号を含んでいないと判定された場合には、前記受信した着信先番号に従って前記通信事業者自身の通信網の着信先に着信すべく着信要求する第１の送信手段と、を備え、前記中間サーバは、前記第１の送信手段により送信された着信先番号を受信する第２の受信手段と、前記第２の受信手段が受信した着信先番号から前記識別番号を削除した着信先番号を前記共通ＳＩＰサーバに送信する第２の送信手段と、を備え、前記共通ＳＩＰサーバは、前記複数のＳＩＰサーバの通信網の内線番号を記憶する第１の記憶手段と、前記第２の送信手段により送信された着信先番号を受信する第３の受信手段と、前記第３の受信手段で受信された着信先番号が、前記第１の記憶手段に記憶されているか判定する第２の判断手段と、前記第２の判断手段により前記第２の受信手段が受信した着信先番号が前記第１の記憶手段に記憶されていると判定された場合に、前記第２の受信手段が受信した着信先番号に対応する前記複数のＳＩＰサーバの１つに前記第２の受信手段が受信した着信先番号を送信する第３の送信手段と、を備えることを特徴とする。
【手続補正８】
【補正対象書類名】明細書
【補正対象項目名】００２０
【補正方法】変更
【補正の内容】
【００２０】
また、前記第３の送信手段は、前記第３の受信手段が受信した着信先番号を、前記第３の受信手段が受信した複数のＳＩＰサーバの１つではない複数のＳＩＰサーバの１つに送信することを特徴とする。
【手続補正９】
【補正対象書類名】明細書
【補正対象項目名】００２１
【補正方法】変更
【補正の内容】
【００２１】
また、前記第１の記憶手段は、前記複数のＳＩＰサーバの通信網の内線番号を、前記複数のＳＩＰサーバの通信網毎に分けて管理し、前記第３の送信手段は、前記通信網毎に分けた内線番号から、前記第３の受信手段が受信した着信先番号に対応する前記複数のＳＩＰサーバの１つを識別し、前記第３の受信手段が受信した着信先番号を送信することを特徴とする。
【手続補正１０】
【補正対象書類名】明細書
【補正対象項目名】００２２
【補正方法】変更
【補正の内容】
【００２２】
また、前記第１の記憶手段が記憶する前記複数のＳＩＰサーバの通信網の内線番号は重複しない内線番号であることを特徴とする。
【手続補正１１】
【補正対象書類名】明細書
【補正対象項目名】００２３
【補正方法】変更
【補正の内容】
【００２３】
また、前記通信事業者自身の通信網の内線電話から、内線発信である着信先番号を受信する前記複数のＳＩＰサーバの少なくとも１つは、前記通信事業者自身の通信網の内線番号を記憶する第２の記憶手段と、前記共通ＳＩＰサーバから、着信先番号を受信する第４の受信手段と、前記第４の受信手段で受信された着信先番号が前記第２の記憶手段に記憶されているか判定する第３の判断手段と、をさらに備えることを特徴とする。
【手続補正１２】
【補正対象書類名】明細書
【補正対象項目名】００２４
【補正方法】変更
【補正の内容】
【００２４】
本願発明により、本来は通信事業者毎のサーバが処理していた通信事業者内部の通信網（自網）のみで接続処理をすべき内線発信要求か、または通信事業者外部の通信網（他網）に接続要求をすべき内線発信要求かを仕分けする場合に必要とされる、共通サーバに送信することを識別するための番号を削除する機能を通信事業者毎のサーバから中間サーバに移管し、さらに当該中間サーバを通信事業者毎のサーバと共通サーバとの間に構成し、通信事業者毎のサーバと中間サーバとで処理を分散させることで、通信事業者毎のサーバの負荷の低減が可能となり、かつ内線番号付与体系の異なる複数の通信事業者各社の通信網から要求された内線発信要求を通信事業者自身
の通信網と他社の通信網にルーティングできる仕組みを提供する事が可能となる。